(57)【要約】【課題】回転台と回転台周囲の固定刃との間に衛生用品が挟まることを抑制できる衛生用品処理装置を提供する。【解決手段】この発明に係る衛生用品処理装置１００は、処理槽１１０内に設けられ、上面が水平に配置され回転軸１３２を中心にして予め設定された回転方向に回転する円板状の回転台１３０と、処理槽１１０内に設けられ回転軸１３２を中心とする円筒状を呈し回転軸１３２に垂直な投影面上において回転台１３０の径方向の外側に配置された円筒部１２０と、円筒部１２０の内面における回転台１３０の上面よりも上方に設けられた固定刃１２１と、回転台１３０の上面に設けられたブレード２００と、を備える。ブレード２００は、回転台１３０の径方向の外側ほど高くなる傾斜、及び、回転台１３０の周方向における回転方向の後側ほど高くなる傾斜の一方又は両方がつけられた傾斜面２１０を有する。【選択図】図１
2020192484.tif 000002
【特許請求の範囲】
【請求項１】
処理対象の衛生用品を蓄積する処理槽と、
前記処理槽内に設けられ、上面が水平に配置され、前記上面に直交する回転軸を中心にして予め設定された回転方向に回転する円板状の回転台と、
前記処理槽内に設けられ、前記回転軸を中心とする円筒状を呈し、前記回転軸に垂直な投影面上において前記回転台の径方向の外側に配置された円筒部と、
前記円筒部の内面における前記回転台の前記上面よりも上方に設けられた固定刃と、
前記回転台の前記上面に設けられたブレードと、を備え、
前記ブレードは、前記回転台の径方向の外側ほど高くなる傾斜、及び、前記回転台の周方向における前記回転方向の後側ほど高くなる傾斜の一方又は両方がつけられた傾斜面を有する衛生用品処理装置。
【請求項２】
前記ブレードは、前記回転台の径方向に沿って移動可能に設けられた請求項１に記載の衛生用品処理装置。
【請求項３】
前記ブレードは、前記ブレードにおける前記回転台の径方向の中心側に設けられたブレード軸を中心にして揺動可能に設けられた請求項１に記載の衛生用品処理装置。
【請求項４】
前記ブレードの揺動可能な範囲を規制する規制手段をさらに備えた請求項３に記載の衛生用品処理装置。
【請求項５】
予め設定された基準位置からの前記ブレードの揺動量に応じて、前記ブレードを前記基準位置へと復元させる復元力を付与する弾性体をさらに備えた請求項３に記載の衛生用品処理装置。
【請求項６】
前記ブレードは、前記回転台の前記上面に固定された請求項１に記載の衛生用品処理装置。
【請求項７】
前記処理槽内に水を供給する水供給手段をさらに備えた請求項１から請求項６のいずれか一項に記載の衛生用品処理装置。
【発明の詳細な説明】
【技術分野】
【０００１】
この発明は、衛生用品処理装置に関するものである。
【背景技術】
【０００２】
処理対象物を粉砕又は破砕して処理する装置として、軸心が上下に向かって延びる回転刃と、回転刃の周囲に設けられた固定刃とで、処理対象物である古紙を粉砕する縦型粉砕機が知られている（例えば、特許文献１参照）。
【先行技術文献】
【特許文献】
【０００３】
【特許文献１】特開２００３−３４０８２３号公報
【発明の概要】
【発明が解決しようとする課題】
【０００４】
しかしながら、特許文献１に示されるような装置においては、回転刃と固定刃との間に破砕途中の硬い処理対象物が挟まると、挟まった処理対象物により回転負荷が増大する。特に近年、高齢化に伴い、サイズが大きい大人用紙おむつ等の消費量が拡大傾向にある。紙おむつ等の衛生用品は防水性を有する比較的硬い繊維部を有する。このような丈夫な繊維部を含む衛生用品が回転台の回転刃等と固定刃との間に挟まると、回転負荷が増大し、回転台の回転を駆動するモータがロックしてしまうおそれがある。
【０００５】
この発明は、このような課題を解決するためになされたものである。その目的は、処理対象の衛生用品を上に載せた状態で回転する回転台と回転台の周囲に設けられた固定刃との間に破砕途中の衛生用品が挟まることを抑制できる衛生用品処理装置を提供することにある。
【課題を解決するための手段】
【０００６】
この発明に係る衛生用品処理装置は、処理対象の衛生用品を蓄積する処理槽と、前記処理槽内に設けられ、上面が水平に配置され、前記上面に直交する回転軸を中心にして予め設定された回転方向に回転する円板状の回転台と、前記処理槽内に設けられ、前記回転軸を中心とする円筒状を呈し、前記回転軸に垂直な投影面上において前記回転台の径方向の外側に配置された円筒部と、前記円筒部の内面における前記回転台の前記上面よりも上方に設けられた固定刃と、前記回転台の前記上面に設けられたブレードと、を備え、前記ブレードは、前記回転台の径方向の外側ほど高くなる傾斜、及び、前記回転台の周方向における前記回転方向の後側ほど高くなる傾斜の一方又は両方がつけられた傾斜面を有する。
【発明の効果】
【０００７】
この発明に係る衛生用品処理装置によれば、処理対象の衛生用品を上に載せた状態で回転する回転台と回転台の周囲に設けられた固定刃との間に破砕途中の衛生用品が挟まることを抑制できるという効果を奏する。
【図面の簡単な説明】
【０００８】
【図１】この発明の実施の形態１に係る衛生用品処理装置の全体構成を模式的に示す断面図である。
【図２】この発明の実施の形態１に係る衛生用品処理装置の構成を模式的に示す平面図である。
【図３】この発明の実施の形態１に係る衛生用品処理装置が備えるブレードの三面図である。
【図４】この発明の実施の形態１に係る衛生用品処理装置が備えるブレードの第１の構成例を示す要部拡大平面図である。
【図５】この発明の実施の形態１に係る衛生用品処理装置が備えるブレードの第２の構成例を示す要部拡大平面図である。
【図６】この発明の実施の形態１に係る衛生用品処理装置が備えるブレードの第３の構成例を示す要部拡大平面図である。
【図７】この発明の実施の形態２に係る衛生用品処理装置が備える回転台の斜視図である。
【図８】この発明の実施の形態２に係る衛生用品処理装置が備える回転台の平面図である。
【図９】この発明の実施の形態２に係る衛生用品処理装置が備える回転台の側面図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図６を参照しながら、この発明の実施の形態１について説明する。図１は衛生用品処理装置の全体構成を模式的に示す断面図である。図２は衛生用品処理装置の構成を模式的に示す平面図である。図３は衛生用品処理装置が備えるブレードの三面図である。そして、図４から図６は、それぞれ、衛生用品処理装置が備えるブレードの第１から第３の構成例を示す要部拡大平面図である。
【００１１】
この実施の形態に係る衛生用品処理装置１００は、使用済みの衛生用品１０つまり、汚物等が付着した衛生用品１０を主に処理するためのものである。処理対象の衛生用品１０は、主にパルプ繊維からなる。パルプ繊維の種類は特に限定されないが、パルプ繊維、フラッフ状パルプ繊維、化学パルプ繊維等を例示することができる。
【００１２】
また、処理対象の衛生用品１０は吸水材を含んでいてもよい。吸水材は、例えば高分子吸収材である。高分子吸収材は、高吸収性ポリマー（ＳＡＰ）とも呼ばれる。高分子吸収材は、水溶性高分子が適度に架橋された三次元網目構造を有する。高分子吸収材は、数百倍〜千倍の水を吸収するが本質的に水不溶性であり、一旦吸収された水は多少の圧力を加えても離水しない。高分子吸収材の種類は特に限定されないが、デンプン系、アクリル酸系、アミノ酸系の粒子状又は繊維状のポリマーを例示することができる。このような処理対象の衛生用品１０として、使い捨て紙おむつ、尿取りパッド、生理用ナプキン、パンティーライナー等を例示することができる。
【００１３】
この実施の形態に係る衛生用品処理装置１００は、図１に示すように、処理槽１１０を備えている。処理槽１１０は、上面に投入口１１２が形成された容器状を呈する。処理槽１１０の処理槽壁部１１１は円筒状を呈する。処理槽１１０の内部の空間には、投入口１１２から処理対象の衛生用品１０を入れることができる。処理槽１１０の内部には、衛生用品１０が蓄積される。
【００１４】
なお、処理槽１１０の上面に投入口１１２を開閉可能に塞ぐ蓋部を設けてもよい。蓋部を設けた場合、衛生用品処理装置１００で衛生用品１０の処理を行っている間は、基本的に蓋部は閉じた状態とする。そして、処理槽１１０の内部に処理対象の衛生用品１０を投入する時に蓋部を開く。
【００１５】
処理槽１１０には、給水管３０１が取り付けられている。給水管３０１の一端は、処理槽１１０に接続されている。給水管３０１の他端は、図示しない水道に接続されている。この給水管３０１を通じて、処理槽１１０の内部に水道水を導入することができる。給水管３０１には、給水弁３０２が設けられている。給水弁３０２を開閉することで、処理槽１１０内への水の供給と、その供給の停止とを行うことができる。給水弁３０２の開閉は、制御装置４００による制御の下で行われる。以上のように構成された給水管３０１は、処理槽１１０内に水を供給する水供給手段の一例である。なお、水供給手段は、特に吸水材を含む衛生用品１０を処理する際に有効である。処理対象の衛生用品１０が吸水材を含まない場合等には、水供給手段を備えていなくともよい。
【００１６】
処理槽１１０の内部には、円筒部１２０が設けられている。円筒部１２０の内部には、回転台１３０が設けられている。回転台１３０は、円板状の外形を有する。回転台１３０の上面は、水平に配置されている。回転台１３０は、モータ１３１により駆動されて回転する。回転台１３０のモータ１３１の動作制御は、例えば制御装置４００により行われる。回転台１３０は、図２に示すように、回転軸１３２を中心にして回転する。この際の回転台１３０の回転方向は、例えば図２中に矢印で示すように、予め設定されている。回転軸１３２は、鉛直方向に配置されている。すなわち、回転軸１３２は、回転台１３０の上面に直交している。
【００１７】
円筒部１２０は、回転台１３０の回転軸１３２を中心とする円筒状を呈する。そして、図２に示すように、円筒部１２０は、回転軸１３２に垂直な投影面上において回転台１３０の径方向の外側に配置されている。回転台１３０の外縁と円筒部１２０の内面との間には、製造精度、組立精度等を考慮の上で回転する回転台１３０と円筒部１２０とが接触しない程度の隙間が形成されている。また、ここで説明する構成例では、処理槽１１０の処理槽壁部１１１も、回転台１３０の回転軸１３２を中心とする円筒状を呈する。図２に示すように、処理槽壁部１１１は、回転軸１３２に垂直な投影面上において円筒部１２０より外側に配置される。
【００１８】
円筒部１２０の内面には、固定刃１２１が設けられている。固定刃１２１は、衛生用品１０を切断及び破砕するための鋭利な突起又は刃である。図１に示すように、固定刃１２１は、回転台１３０の上面よりも上方に配置されている。
【００１９】
円筒部１２０の内面には、複数のスリット１２２が形成されている。スリット１２２は、円筒部１２０を貫通している。スリット１２２は、回転台１３０の上面よりも上方で、かつ、固定刃１２１よりも下方となる範囲に配置されている。ただし、スリット１２２は、回転台１３０の上面よりも下方まで延びていてもよい。
【００２０】
処理槽壁部１１１には、窪み部１１３が設けられている。窪み部１１３は、処理槽壁部１１１の内面が外周側に凹んだ部分である。窪み部１１３が形成された部分においては、円筒部１２０の外面と処理槽壁部１１１の内面との間隔が大きくなっている。窪み部１１３の上端は、スリット１２２の上端と同等、又は、スリット１２２の上端よりも上方にある。窪み部１１３の下端は、円筒部１２０の下端よりも下方にある。
【００２１】
回転台１３０の上面には、１つ以上の可動ブレード２００が設けられている。ここで説明する構成例では、可動ブレード２００が３つ設けられている。そして、これらの可動ブレード２００は、回転台１３０の周方向において等間隔に配置されている。
【００２２】
次に、図３を参照しながら、可動ブレード２００の構成について説明する。同図に示すように、可動ブレード２００は、傾斜面２１０と、ブレード基部２２０とを有している。傾斜面２１０は、図３の（ａ）に示すように、回転台１３０の径方向の外側ほど高くなるように傾斜している。また、同時に、傾斜面２１０は、図３の（ｃ）に示すように、回転台１３０の周方向における前述した回転方向の後側ほど高くなるようにも傾斜している。なお、傾斜面２１０は、回転台１３０の径方向、又は、回転台１３０の周方向の一方のみにおいて傾斜していてもよい。この場合の回転台１３０の径方向の傾斜は、径方向の外側ほど高くなる傾斜である。また、この場合の回転台１３０の周方向の傾斜は、周方向において前述した回転方向の後側ほど高くなる傾斜である。
【００２３】
ブレード基部２２０には孔が形成されている。可動ブレード２００は、ブレード基部２２０の孔に通されたブレード軸２２１により、回転台１３０の上面に取り付けられている。そして、傾斜面２１０は、ブレード基部２２０から回転台１３０の径方向の外側に延びて設けられている。したがって、ブレード軸２２１は、ブレード２００における回転台１３０の径方向の中心側に設けられる。
【００２４】
以上のように構成された衛生用品処理装置１００において、回転台１３０の上に処理対象の衛生用品１０が載った状態で、モータ１３１により回転台１３０を回転させる。すると、回転台１３０上の衛生用品１０に作用する遠心力で、衛生用品１０は、回転台１３０の径方向の外側、すなわち、円筒部１２０の内面に向かって飛ばされる。
【００２５】
この際、一部の衛生用品１０は、可動ブレード２００に衝突することなく、そのまま、円筒部１２０の内面の方へ飛ばされる。しかし、破砕される前の衛生用品１０は、スリット１２２の孔よりも大きくスリット１２２を通過できない。また、回転台１３０と円筒部１２０と隙間を通ることもできないため、破砕前の衛生用品１０は、回転台１３０の上に留まる。
【００２６】
一方、回転台１３０が回転することで、回転台１３０の上面に取り付けられた可動ブレード２００が、他の一部の衛生用品１０に衝突する。ここで、可動ブレード２００の傾斜面２１０は、前述したように回転台１３０の回転方向の前側及び径方向の中心側が低くなっている。このため、可動ブレード２００は、傾斜面２１０の低くなっている側から衛生用品１０に当たる。そして、衛生用品１０は、可動ブレード２００の傾斜面２１０に乗り上げて、図３中の矢印に示すように斜め上方に飛ばされる。したがって、可動ブレード２００に当たって飛ばされた衛生用品１０は、円筒部１２０の内面における回転台１３０の上面よりも上方にある固定刃１２１に衝突して引き裂かれ、切断及び破砕される。
【００２７】
具体的に例えば、吸水材を含む紙おむつを破砕する過程では、まず初めに紙おむつの表面シートが破られる。すると、紙おむつ内部のパルプ（繊維）に含有された吸水材（吸水ポリマー）が漏れ出てくる。なお、使用済みの紙おむつでは、排泄物等に含まれる水分を吸収して吸水ポリマーはゲル状になっている。その後、さらに破砕が進むと、比較的に硬いシート材が細かく破られて破砕片１１となる。
【００２８】
そして、スリット１２２を通過できる程度まで細かくなった破砕片１１は、遠心力で回転台１３０の径方向の外側に飛ばされた際にスリット１２２を通過する。スリット１２２を通過した破砕片１１は、窪み部１１３を通って回転台１３０より下方に排出される。
【００２９】
以上のように構成された衛生用品処理装置１００においては、固定刃１２１とスリット１２２の位置を上下に異ならせている。より詳しくは、回転台１３０の上面の側方にスリット１２２を配置し、スリット１２２よりも上方に固定刃１２１を配置している。そして、傾斜面２１０を有する可動ブレード２００により、回転台１３０の上面の衛生用品１０を回転台１３０の上面よりも上方に飛ばして固定刃１２１に衝突させることができる。
【００３０】
このため、回転台１３０及び可動ブレード２００と固定刃１２１の位置を上下に異ならせることができ、回転台１３０及び可動ブレード２００の周方向外端と固定刃１２１との間に破砕途中の衛生用品１０が挟まることを抑制できる。したがって、可動ブレード２００と固定刃１２１との間に挟まった衛生用品１０による回転台１３０の回転負荷増大を抑制し、モータ１３１のロックを防止できる。
【００３１】
さらに、衛生用品１０を破砕する固定刃１２１と、破砕後の破砕片１１を回転台１３０の上から排出するためのスリット１２２の両方を、円筒部１２０の全周方向にわたって配置できる。したがって、破砕前の衛生用品１０を固定刃１２１に衝突させて破砕させることと、破砕後の衛生用品１０を回転台１３０の上から速やかに排出することとを両立させることができ、処理効率の向上を図ることが可能である。
【００３２】
この実施の形態では、可動ブレード２００は、回転台１３０の上面に対して移動可能に設けられている。このようにすることで、可動ブレード２００の周方向外端と円筒部１２０との間に破砕途中の衛生用品１０が挟まることを抑制できる。このため、可動ブレード２００と円筒部１２０との間に挟まった衛生用品１０による回転台１３０の回転負荷増大を抑制し、モータ１３１のロックを防止できる。また、可動ブレード２００と円筒部１２０との間に衛生用品１０が挟まる際に生じる衝撃音の緩和も期待できる。
【００３３】
次に、この実施の形態の衛生用品処理装置１００における可動ブレード２００の構成例について、図４から図６を参照しながら説明する。まず、図４に示すのは、可動ブレード２００の第１の構成例である。この第１の構成例では、可動ブレード２００のブレード基部２２０に、長円形の長孔２２３が形成されている。そして、長孔２２３に通されたブレード軸２２１を介して、可動ブレード２００が回転台１３０の上面に取り付けられている。
【００３４】
長孔２２３は、可動ブレード２００の長手方向に沿って配置されている。そして、可動ブレード２００の長手方向は、回転台１３０の径方向に沿って配置されている。ブレード軸２２１が長孔２２３内で動くことができる範囲において、可動ブレード２００は回転台１３０に対して移動可能である。すなわち、可動ブレード２００は、回転台１３０の径方向に沿って移動可能に設けられている。
【００３５】
この第１の構成例では、可動ブレード２００を回転台１３０の径方向に沿って移動可能にすることで、可動ブレード２００の周方向外端と円筒部１２０との間に破砕途中の衛生用品１０が挟まることを抑制できる。このため、可動ブレード２００と円筒部１２０との間に挟まった衛生用品１０による回転台１３０の回転負荷増大を抑制し、モータ１３１のロックを防止できる。
【００３６】
なお、例えば、長孔２２３にゴム等の弾性体を挿入し、この弾性体で可動ブレード２００を回転台１３０の径方向外側に付勢するとよい。このようにすることで、可動ブレード２００で衛生用品１０の破砕片１１を回転台１３０の径方向外側に押し出すことができる。よって、破砕後の破砕片１１を回転台１３０の上から効率よく排出でき、スリット１２２からの排出効率の向上を図ることが可能である。
【００３７】
次に、図５に示すのは、可動ブレード２００の第２の構成例である。この第２の構成例と、次に説明する第３の構成例では、可動ブレード２００は、回転台１３０の上面に対して、ブレード軸２２１を中心にして揺動可能に設けられている。この第２の構成例では、回転台１３０の上面にピン２３１及びストッパ２３２が固定されている。ピン２３１及びストッパ２３２は、それぞれの可動ブレード２００毎に設けられる。
【００３８】
ピン２３１は、可動ブレード２００に対して前述した回転方向の前側に配置されている。ストッパ２３２は、可動ブレード２００に対して前述した回転方向の後側に配置されている。可動ブレード２００がブレード軸２２１を中心にして前述した回転方向の前側に回転すると、この回転量が予め設定された一定量になったときに可動ブレード２００がピン２３１に当接し、これ以上の可動ブレード２００の回転移動が規制される。また、可動ブレード２００がブレード軸２２１を中心にして前述した回転方向の後側に回転すると、この回転量が予め設定された一定量になったときに可動ブレード２００がストッパ２３２に当接し、これ以上の可動ブレード２００の回転移動が規制される。
【００３９】
以上のように構成されたピン２３１及びストッパ２３２は、可動ブレード２００の揺動可能な範囲を規制する規制手段の一例である。そして、このような規制手段を備えることで、可動ブレード２００同士の衝突を防止したり、回転台１３０と可動ブレード２００との摺動面で生じる擦れ音を低減したりできる。
【００４０】
なお、ストッパ２３２は、ゴム等の弾性体にするとよい。ストッパ２３２を弾性体にすることで、前述の回転方向の後側に押された可動ブレード２００を、弾性体の反発力により回転方向の前側に戻すことができる。また、可動ブレード２００がストッパ２３２に当たる際の衝撃を緩和できる。
【００４１】
そして、図６に示すのは、可動ブレード２００の第３の構成例である。この第３の構成例では、それぞれの可動ブレード２００のブレード軸２２１の周りに回転バネ２２２が設けられている。回転バネ２２２は、ねじりコイルバネであり、コイルの一端側がブレード基部２２０に固定され、コイルの他端側がブレード軸２２１に固定されている。
【００４２】
可動ブレード２００に外力が作用していない状態における可動ブレード２００の位置を、ここでは基準位置と呼ぶ。この基準位置は、予め設定された位置である。可動ブレード２００に外力が作用して、基準位置から可動ブレード２００が移動すると、この際の移動量に応じて回転バネ２２２が変形する。そして、回転バネ２２２は、この際の変形量に応じて、可動ブレード２００を基準位置へと復元させようとする復元力を付与する。
【００４３】
すなわち、回転バネ２２２は、基準位置からの可動ブレード２００の揺動量に応じて、可動ブレード２００を基準位置へと復元させる復元力を付与する弾性体である。そして、このような弾性体を備えることでも、可動ブレード２００の揺動範囲を制限し、可動ブレード２００同士の衝突を防止したり、回転台１３０と可動ブレード２００との摺動面で生じる擦れ音を低減したりできる。
【００４４】
実施の形態２．
図７から図９を参照しながら、この発明の実施の形態２について説明する。図７は衛生用品処理装置が備える回転台の斜視図である。図８は衛生用品処理装置が備える回転台の平面図である。そして、図９は衛生用品処理装置が備える回転台の側面図である。
【００４５】
ここで説明する実施の形態２は、前述した実施の形態１の構成において、ブレードが回転台に固定されたものである。以下、この実施の形態２に係る衛生用品処理装置について、実施の形態１との相違点を中心に説明する。説明を省略した構成については実施の形態１と基本的に同様である。以降の説明においては、実施の形態１と同様の又は対応する構成について、原則として実施の形態１の説明で用いたものと同じ符号を付して記載する。
【００４６】
この実施の形態に係る衛生用品処理装置１００は、図７から図９に示す回転台１３０を備えている。回転台１３０は、固定ブレード１３３を備えている。ここで説明する構成例では、回転台１３０の一部を上面側に突出させることで、固定ブレード１３３を設けている。すなわち、回転台１３０と固定ブレード１３３は、一体に成型されている。
【００４７】
なお、回転台１３０と固定ブレード１３３とを一体に成型するのではなく、回転台１３０とは別体に設けたブレードを回転台１３０の上面に固定してもよい。回転台１３０の上面に固定するブレードは、例えば、実施の形態１で説明した可動ブレード２００と同形状のものを用いればよい。
【００４８】
固定ブレード１３３は、回転台１３０の径方向の外側ほど高くなるように傾斜している。また、固定ブレード１３３は、前述した回転方向に沿った断面形状が、回転台１３０の上面から滑らかに連続するよう上側に突出した山型になっている。したがって、固定ブレード１３３は、回転台１３０の周方向における前述した回転方向の後側ほど高くなるようにも傾斜している。
【００４９】
以上のように構成された衛生用品処理装置１００において、回転台１３０の上に処理対象の衛生用品１０が載った状態で、モータ１３１により回転台１３０を回転させる。すると、回転台１３０上の衛生用品１０に作用する遠心力で、衛生用品１０は、回転台１３０の径方向の外側、すなわち、円筒部１２０の内面に向かって飛ばされる。
【００５０】
この際、回転台１３０が回転することで、回転台１３０の上面の固定ブレード１３３が、一部の衛生用品１０に衝突する。ここで、固定ブレード１３３は、前述したように回転台１３０の回転方向の前側及び径方向の中心側が低くなるよう傾斜している。このため、衛生用品１０は、固定ブレード１３３の傾斜に乗り上げて斜め上方に飛ばされる。したがって、固定ブレード１３３に当たって飛ばされた衛生用品１０は、円筒部１２０の内面における回転台１３０の上面よりも上方にある固定刃１２１に衝突して引き裂かれ、切断及び破砕される。
【００５１】
そして、スリット１２２を通過できる程度まで細かくなった破砕片１１は、遠心力で回転台１３０の径方向の外側に飛ばされた際にスリット１２２を通過する。スリット１２２を通過した破砕片１１は、窪み部１１３を通って回転台１３０より下方に排出される。
【００５２】
以上のように構成された衛生用品処理装置１００においても、実施の形態１と同様に、固定ブレード１３３により、回転台１３０の上面の衛生用品１０を回転台１３０の上面よりも上方に飛ばして固定刃１２１に衝突させることができる。このため、固定ブレード１３３と固定刃１２１の位置を上下に異ならせることができ、回転台１３０及び固定ブレード１３３と固定刃１２１との間に破砕途中の衛生用品１０が挟まることを抑制できる。したがって、実施の形態１と同様の効果を奏することができる。さらに、ブレードを回転台の上面に固定することで、可動部を減らして構成を簡潔にできる。
【符号の説明】
【００５３】
１０    衛生用品
１１    破砕片
１００    衛生用品処理装置
１１０    処理槽
１１１    処理槽壁部
１１２    投入口
１１３    窪み部
１２０    円筒部
１２１    固定刃
１２２    スリット
１３０    回転台
１３１    モータ
１３２    回転軸
１３３    固定ブレード
２００    可動ブレード
２１０    傾斜面
２２０    ブレード基部
２２１    ブレード軸
２２２    回転バネ
２２３    長孔
２３１    ピン
２３２    ストッパ
３０１    給水管
３０２    給水弁
４００    制御装置
【図１】
2020192484.tif 000003
【図２】
2020192484.tif 000004
【図３】
2020192484.tif 000005
【図４】
2020192484.tif 000006
【図５】
2020192484.tif 000007
【図６】
2020192484.tif 000008
【図７】
2020192484.tif 000009
【図８】
2020192484.tif 000010
【図９】
2020192484.tif 000011